(57)【要約】【課題】中竿等を保護する受止体に合理的な機構を設けることによって、受止体の竿先側空間から竿尻側空間への水の誘導を円滑に行え、メインテナンス作業の容易化を図ることのできる振出竿の竿尻構造を提供する。【解決手段】元竿２の竿尻端の内部に元竿２内に収納された穂先竿及び中竿３の元上３Ａの竿尻端を受け止める座ゴム５を配置し、座ゴム５の周縁部にその座ゴム５の竿先側空間と竿尻側空間とを連通させる凹入面５Ｂ、５Ｃを形成し、座ゴム５を尻栓４に嵌め合い装着してある。【選択図】        図１
2011078335.tif 000002
【特許請求の範囲】
【請求項１】
竿尻端の内部に元竿内に収納された穂先竿及び中竿の竿尻端を受け止める受止体を配置し、前記受止体の周縁部にその受止体の竿先側空間と竿尻側空間とを連通させる連通機構を形成してある振出竿の竿尻構造。
【請求項２】
前記連通機構が前記受止体の周縁部に凹入形成されたものである請求項１記載の振出竿の竿尻構造。
【請求項３】
元竿の竿尻端に尻栓を装着するとともに、前記尻栓に前記受止体を装着してある請求項１又は２記載の振出竿の竿尻構造。
【発明の詳細な説明】
【技術分野】
【０００１】
本発明は、元竿内に収納された中竿等の竿尻端を受け止めてその竿尻端を保護する受止体を装備している振出竿の竿尻構造に関する。
【背景技術】
【０００２】
受止体としてのシート部材（公報内番号２２）には、中心位置に貫通孔（公報内番号３４）が設けてあり、この貫通孔を通してシート部材の竿先側空間内の水を竿尻側空間へ誘導し、竿尻側空間へ誘導された水については尻栓の水抜き孔を介して外部に排出する構成を採っていた（特許文献１参照）。
【先行技術文献】
【特許文献】
【０００３】
【特許文献１】特開２００５−１３０８４号公報（公報段落番号〔００２５〕、及び、図２）
【発明の概要】
【発明が解決しようとする課題】
【０００４】
しかし、シート部材の竿先側空間からの水は元竿の内周面を伝って流れてくることが多く、中心位置に貫通孔を設けているだけでは、水を竿尻側空間に誘導することが難しいこともあり、排出機能が十分に生かされてはいなかった。
【０００５】
本発明の目的は、中竿等を保護する受止体に合理的な機構を設けることによって、受止体の竿先側空間から竿尻側空間への水の誘導を円滑に行え、メインテナンス作業の容易化を図ることのできる振出竿の竿尻構造を提供する点にある。
【課題を解決するための手段】
【０００６】
〔構成〕
請求項１に係る発明の特徴構成は、竿尻端の内部に元竿内に収納された中竿の竿尻端を受け止める受止体を配置し、前記受止体の周縁部にその受止体の竿先側空間と竿尻側空間とを連通させる連通機構を形成してある点にあり、その作用効果は次の通りである。
【０００７】
〔作用効果〕
竿先側空間と竿尻側空間とを連通させる連通機構を受止体の周縁部に形成したので、元竿の内周面を伝って流れてくる水は、その連通機構を介して竿尻側空間に誘導され、尻栓を通して外部に排出される。
これによって、竿の内部に水が長く溜まることに起因する水に含まれる砂等が竿の内周面に付着するといったことが少なくなり、メインテナンスも容易になる。
【０００８】
〔構成〕
請求項２に係る発明の特徴構成は、前記連通機構が前記受止体の周縁部に凹入形成されたものである点にあり、その作用効果は次の通りである。
【０００９】
〔作用効果〕
前記連通機構が凹入形成されたものであるので、簡単な機構で水の誘導が円滑に行えるようになった。
【００１０】
〔構成〕
請求項３に係る発明の特徴構成は、元竿の竿尻端に尻栓を装着するとともに、前記尻栓に前記受止体を装着してある点にあり、その作用効果は次の通りである。
【００１１】
〔作用効果〕
尻栓に受止体を装着することとしたので、元竿等の竿側に受止体を装着するための機構（例えば受け座）を形成する必要がなく、共に元竿に取り付ける部品である尻栓と受止体とを一体に扱うことができ、製造上または流通上でも取扱性を向上させることができた。
【図面の簡単な説明】
【００１２】
【図１】（ａ）座ゴムを装着した尻栓を元竿に取り付け、その元竿内に中竿を収納した振出竿を示す縦断側面図、（ｂ）座ゴムを装着した尻栓を、元竿に取り付ける前の状態を示す分解縦断側面図である。
【図２】（ａ）座ゴムの周縁部に半円状の凹入部を形成した状態を示す正面図、（ｂ）座ゴムの縦断側面図である。
【図３】座ゴムを装着した尻栓を元竿に取り付け、その元竿内に中竿を収縮保持した伸縮式振出竿を示す縦断側面図である。
【図４】座ゴムの周縁部にギヤ状の凹凸部を形成した受止体の別実施構造を示す正面図である。
【図５】座ゴムの周縁部に複数の貫通孔を形成した受止体の別実施構造を示す正面図である。
【発明を実施するための形態】
【００１３】
〔第１実施形態〕
リールを取付る磯竿及び船竿、或いは、リールを取り付けない鮎竿等に使用される釣り竿１について説明する。
釣り竿１は、元竿２、複数の中竿３、穂先竿（図示せず）とを備えて振出式の釣り竿に構成してあり、図１に示すように、元竿２の竿尻端に尻栓４を装着して構成されている。
【００１４】
元竿２等は、基本的には、ガラス繊維かカーボン繊維等の強化繊維にエポキシ等の熱硬化性樹脂を含浸させて形成したプリプレグをマンドレルに巻回して筒状に形成し、その筒状に形成した竿素材を焼成して形成されている。
【００１５】
尻栓４の構成について説明する。図１に示すように、尻栓４は、金属製の円筒状の取付本体４Ａと、その取付本体４Ａに合成樹脂製の摘み操作部４Ｂが接着一体固定されている。
一方、元竿２の竿尻端には金属製または合成樹脂製のスリーブ体２Ａが固着されており、スリーブ体２Ａは、後端にフランジ部２ａを配置し、そのフランジ部２ａの内端より竿先側に向けて円筒部２ｂを延出し、円筒部２ｂの内周面に雌ねじａを形成して構成されている。
【００１６】
他方、尻栓４の取付本体４Ａは、後端のフランジ部４ａと、そのフランジ部４ａの内端から竿先側に向けて延出されたテーパコーン部４ｂと、テーパコーン部４ｂの竿先側端より更に竿先側に向けて延出されている筒状部４ｃとを一体形成して構成されている。筒状部４ｃの外周面に雄ねじｂを形成し、筒状部４ｃの雄ねじｂを円筒部２ｂの雌ねじａに螺着することによって、尻栓４を元竿２に着脱可能に構成することができる。
【００１７】
尻栓４の摘み操作部４Ｂは、取付本体４Ａのフランジ部４ａ、テーパコーン部４ｂ、筒状部４ｃの背面側に接着する状態で固着されており、内部に空き空間ｃを形成して軽量化を図るとともに、空き空間ｃと外部とを連通する水抜き孔４ｄを形成してある。また、取付本体４Ａの外周面には、竿軸線Ｘ方向に平行な細溝ｄが多数刻設されており、摘む指の滑り止めを形成してある。
【００１８】
中竿３等を元竿２内に収納した際に、中竿等の竿尻端を受け止め保護する座ゴム（受止体の一例）５について説明する。図２に示すように、受止体５の外周縁に連通機構を構成するに、半円状の凹入部５Ｂを周方向に沿って複数個形成し、複数個の凹入部５Ｂの間に突起部５Ａを形成する。そうすると、元竿２等の内周面を伝って流れ落ちてくる水をその凹入部５Ｂを介して竿先側空間としての元竿等の内部から竿尻側空間としての尻栓４の内部空間ｃ内に導入することができ、尻栓４に設けた水抜き孔４ｄを介して外部に排出することができる。
【００１９】
図２（ｂ）に示すように、座ゴム５の竿尻側端には面取り部５ａが設けてあり、尻栓４の摘み操作部４Ｂの先端との間隙を確保して、水の流れをよくする構成を採っている。
また、座ゴム５の中心位置にも貫通孔５Ｄを設けてあり、この貫通孔５Ｄを通しても水を、尻栓４の内部空間ｃに導入することが可能である。
【００２０】
この座ゴム５を尻栓４に取り付けるには、図１（ａ）に示すように、突起部５Ａを取付本体４Ａの筒状部４ｃの内周面に圧接するように嵌め込むことによって、座ゴム５を取り付けることができる。
【００２１】
以上のような構成によって、釣り竿１を立てた場合に、元竿２の内周面に沿って落下してくる水は、スリーブ体２Ａの内周面に沿って座ゴム５の外周縁に達し、凹入部５Ｂから竿尻側空間となる尻栓４の空き空間ｃ内に誘導されて、尻栓４の水抜き孔４ｂを介して外部に配出される。
【００２２】
〔第２実施形態〕
ここでは、伸縮式釣り竿１の構造について説明する。図３に示すように、元竿２の竿尻端にスリーブ体２Ａを固着する。スリーブ体２Ａは後端にフランジ部２ａを配置し、そのフランジ部２ａの内端より竿先側に向けて円筒部２ｂを延出し、円筒部２ｂの内周面に雌ねじａを形成して構成されている。
【００２３】
一方、尻栓４は、略ディスク状の摘み操作部４Ｂと摘み操作部４Ｂの竿先側に延出されている筒状の本体部４Ａとを、合成樹脂で一体形成されており、本体部４Ａの外周面に雄ねじｂが形成してある。このような構成によって、本体部４Ａの雄ねじｂを円筒部２ｂの雌ねじａに螺合させることによって、尻栓４を元竿２に螺合することができる。
【００２４】
受止体としての座ゴム５は、スリーブ体２Ａの雌ねじａより竿先側に形成されている嵌合面２ｃに内嵌合されて、取付固定される。嵌合面２ｃより更に竿先側には、内嵌面２ｄが形成してあり、この内嵌面２ｄに中竿３の一つである元上３Ａを内嵌することによって、元上３Ａを収縮状態に保持することができる。このような構成によって、元上３Ａを伸長状態（図示せず）だけでなく、収縮状態においても保持可能な伸縮式振出竿を構成することができる。
【００２５】
図３に示す状態で竿を立てて、元竿２の内周面を伝って水を座ゴム５まで誘導するには、元上３Ａの竿尻端部を内嵌しているスリーブ体２Ａの内嵌面２ｄを凹凸面（図示せず）に形成し、その凹凸面に形成された内嵌面２ｄの凹入面から水を座ゴム５から尻栓４まで誘導し、尻栓４の水抜き孔４ｄを介して排出することが可能である。
【００２６】
〔別実施の形態〕
（１）  受止体としては座ゴム５のようにゴム製ではなく、合成樹脂で構成してもよい。また、単に板状を呈するだけでなく、尻栓４のように複雑な断面形状を採る躯体状のものであってもよい。
（２）  図４に示すように、ギヤ歯状の突起部５Ａと突起部５Ａの間に凹入部５Ｃを周方向に沿って交互に配置して、座ゴム５を形成してある。このように、突起部５Ａと凹入部５Ｃとを交互に配置してあるので、凹入部５Ｃを介して後記するように水を誘導することができる。
このように、突起部５Ａと凹入部５Ｃとを交互に形成して、凹入部５Ｃによって連通機構を構成してもよい。
（３）  図５に示すように、受止体５の外周縁に連通機構を構成するに、外周縁よりやや内側に小径の貫通孔５ａを円周方向に複数個配置してもよい。
（４）  座ゴム５の中心位置に設けた貫通孔５Ｄについては、穂先竿の竿尻端を受け止めるだけの小径のものであるか、または、形成しなくともよい。
【産業上の利用可能性】
【００２７】
本発明は、磯竿や船竿のみならず鮎竿等の竿尻構造にも適用することができる。
【符号の説明】
【００２８】
２          元竿
３          中竿
４          尻栓
５          座ゴム（受止体）
５Ｂ,５Ｃ    凹入部（連通機構）
【図１】
2011078335.tif 000003
【図２】
2011078335.tif 000004
【図３】
2011078335.tif 000005
【図４】
2011078335.tif 000006
【図５】
2011078335.tif 000007